(57)【要約】【課題】外壁面全体の通気性の向上を図れ、幕板を着脱自在に取付けることができるとともに、デザイン性にも優れた外壁通気構造を提供する。【解決手段】躯体と外壁パネルの間に形成された空気流路の上方に設けられる通気構造であって、該通気構造は幕板１と、躯体Ｋに固定された取付け金具２とからなり、上記幕板１は、前面化粧部１１とこの前面化粧部１１から延設された上面カバー部１２と排気路１４と下面カバー部１３とから構成され、上記排気路１４は前面化粧部１１の裏面と下面カバー部１３からの垂下部を側壁として凹状に垂設されるとともに、上記空気流路内の空気を外部に排出するための側面通気口１４１と下部排気口１４２とを有し、上記下面カバー部１３は、外壁パネル３上端部を一定空間をおいて覆うとともに、上記空気流通路と上記排気路とを連通させ、上記幕板１は上記取付け金具２に着脱自在に取付けられる。【選択図】図３
2005226369.tif 000002
【特許請求の範囲】
【請求項１】
躯体と外壁パネルの間に形成された空気流路の上方に設けられる通気構造であって、該通気構造は幕板と躯体に固定された取付け金具とからなり、上記幕板は、前面化粧部とこの前面化粧部から延設された上面カバー部と排気路と下面カバー部とから構成され、上記排気路は前面化粧部の裏面と下面カバー部からの垂下部を側壁として凹状に垂設されるとともに、上記空気流路内の空気を外部に排出するための側面通気口と下部排気口とを有し、上記下面カバー部は、外壁パネル上端部を一定空間をおいて覆うとともに、上記空気流通路と上記排気路とを連通させ、上記幕板は上記取付け金具に着脱自在に取付けられることを特徴とする外壁通気構造。
【請求項２】
上記取付け金具は、その上端部に上記上面カバー部の端部に下向きに突設された係合片と係合する上部係止部を備えるとともに、その下端部に上記下面カバー部の端部に上向きに延設された係合部と係合する下部係止部を備えた請求項１に記載の外壁通気構造。
【請求項３】
上記躯体に当接する躯体当接片が、上記上面カバー部の端部から幕板の長さ方向に沿って上方に延設された請求項１に記載の外壁通気構造。
【請求項４】
上記躯体と上階に取付けられた外壁パネルの間に形成された空気流路を上方から下方に流れる空気を排出する排出口を一定間隔で横設するとともに、上記外壁パネルの下端部に当接する排気部が、上記上面カバー部の端部に幕板の長さ方向に沿って突設された請求項１に記載の外壁通気構造。
【請求項５】
上記幕板が弾性を有する合成樹脂から形成された請求項１に記載の外壁通気構造。
【発明の詳細な説明】
【技術分野】
【０００１】
本発明は、外壁通気構造に関する。さらに詳しくは、建物の躯体と外壁パネルとの間に形成された空気流路に介装され、通気性を確保するとともに、幕板として機能する外壁通気構造に関する。
【背景技術】
【０００２】
従来から、サイジング材等の外壁パネルが躯体に取付けられた建物では、躯体と外壁パネルとの隙間は空気流路とされている。一方、上階の外壁パネル表面と下階の外壁パネル表面との接合部には、通常、側断面略コの字状の幕板を横方向に取付けて接合面を目隠し、上記空気流路を流れた空気が幕板に内設された通気口から排出することにより自然換気が行われている。この自然換気によって壁内結露が防止され、建築材の腐朽を防げるとともに、幕板が横方向のアクセントとなり、デザイン性の向上を図ることができるため、上記幕板の通気構造に関しては、既に種々の技術が提案されている。
【特許文献１】特開平５−３３４０１号公報（第１−３頁、第１図）
【特許文献２】特開平９−２０３１３２号公報（第１−３頁、第１図）
【特許文献３】特開平１１−２２９５１３号公報（第１−４頁、第１〜２図、第４図）
【発明の開示】
【発明が解決しようとする課題】
【０００３】
しかしながら、上記先行技術記載の外壁の通気構造を用いても通気性を十分確保できるものとはいい難く、外壁全体、例えば、１、２階の外壁面全体の通気性の向上が求められている。本発明は上記問題を解決して、通気性に優れ、幕板を着脱自在に取付けることができるとともに、デザイン性にも優れた外壁通気構造を提供することを、その課題とする。
【課題を解決するための手段】
【０００４】
上記課題を解決するために、本発明においては、つぎのような技術的手段を講じている。すなわち、本発明によれば、躯体と外壁パネルの間に形成された空気流路の上方に設けられる通気構造であって、該通気構造は幕板と躯体に固定された取付け金具とからなり、上記幕板は、前面化粧部とこの前面化粧部から延設された上面カバー部と排気路と下面カバー部とから構成され、上記排気路は前面化粧部の裏面と下面カバー部からの垂下部を側壁として凹状に垂設されるとともに、上記空気流路内の空気を外部に排出するための側面通気口と下部排気口とを有し、上記下面カバー部は、外壁パネル上端部を一定空間をおいて覆うとともに、上記空気流通路と上記排気路とを連通させ、上記幕板は上記取付け金具に着脱自在に取付けられることを特徴とする外壁通気構造が提供される。
【０００５】
上記取付け金具は、その上端部に上記上面カバー部の端部に下向きに突設された係合片と係合する上部係止部を備えるとともに、その下端部に上記下面カバー部の端部に上向きに延設された係合部と係合する下部係止部を備えることが好ましい。また、上記躯体に当接する躯体当接片が、上記上面カバー部の端部から幕板の長さ方向に沿って上方に延設されることが好ましい。
【０００６】
上記躯体と上階に取付けられた外壁パネルの間に形成された空気流路を上方から下方に流れる空気を排出する排出口を一定間隔で横設するとともに、上記外壁パネルの下端部に当接する排気部が、上記上面カバー部の端部に幕板の長さ方向に沿って突設されることが好ましい。
【０００７】
上記幕板が弾性を有する合成樹脂から形成されることが好ましい。例えば、硬質塩化ビニル樹脂、ポリプロピレン、ＡＢＳ樹脂、ポリカーボネート樹脂等各種の弾性変形、弾性復帰可能な合成樹脂が好ましく用いられる。
【発明の効果】
【０００８】
請求項１に記載の発明は上記のとおりであり、前面化粧部の裏面下部に凹状の排気路が垂設され、この排気路には、側面通気口と下部排気口が設けられているため、躯体と外壁パネルの間に形成された空気流路を土台部から上方に流れてきた空気は下面カバー部で空気流路を確保されるとともに、側面通気口を経て上記排気路に流れ、下部排気口から外部に排出される。そのため、外壁パネルの裏面側は風通しのよい、乾燥した状態を保てるため、カビの発生や腐食を抑え、衛生上、また、建物の保全上も好ましいものとすることができる。
【０００９】
上記取付け金具は、その上端部、下端部にそれぞれ上部係止部、下部係止部を備え、これら係止部は、幕板に付設された下向き係合片、上向き係合部と着脱自在に係止することができる。したがって、幕板自体も取付け金具に着脱自在とされ、作業性よく取付けることができるとともに、リフォーム等の場合には、簡単に取り外すことができる。
【００１０】
上記躯体に当接する躯体当接片が、上記上面カバー部の端部から幕板の長さ方向に沿って上方に延設されているため、上記躯体当接片が躯体にぴったりと当接して雨水等が幕板内に浸入することを防ぎ、また、見切り部をすっきりとした形態としてデザイン性を向上させることができる。
【００１１】
さらに、上記上面カバー部の端部には、排気部が幕板の長さ方向に沿って突設され、この排気部は上階に取付けられた外壁パネルと共に空気流路を形成し、上記空気流路を上方、例えば、軒天部から下方に流れてきた空気は、上記排気部に一定間隔で横設された排出口から排出される。その結果、土台部から上方に流れてきた空気は前面化粧部の裏面下部に凹状に垂設された既述の排気路から排出されるとともに、軒天部から下方に流れてきた空気は、上記排気部から排出されるため、上階、下階の外壁面全体の通気性を向上させることができる。
【００１２】
上記幕板を弾性を有する合成樹脂から形成することにより、幕板を弾性変形させて、作業性よく取付け金具に取付けることができる。また、リフォーム等で取り外すときは、弾性係止を解除すれば簡単に取り外すことができる。
【発明を実施するための最良の形態】
【００１３】
以下、本発明の実施形態について図面を参照して、詳細に説明する。図１は、２階の外壁を塗装仕上げとし、１階部分の躯体にのみ外壁パネルを取付けた建物に本発明にかかる外壁通気構造を適用した第１実施形態を示す側断面図である。図１に示すように、上記外壁通気構造は、躯体Ｋと１階の外壁パネル３との間に形成された空気流路４の上方に設けられるとともに、弾性を有する合成樹脂から形成された幕板１と、躯体Ｋに固定用ビスＢで固定された取付け金具２とから構成されている。図２は、図１に示された幕板１を表す一部切欠き斜視図である。
【００１４】
図１、図２からよくわかるように、上記幕板１は、前面化粧部１１と、この前面化粧部１１の上部から躯体Ｋ側に延設された上面カバー部１２と、下面カバー部１３と、前面化粧部１１の裏面と下面カバー部１３からの垂下部の間に凹状に垂設され、幕板１の長さ方向に延びる排気路１４とから構成されている。上記下面カバー部１３は、外壁パネル３の上端部を一定空間をおいて前記空気流路４を覆っている。この空気流路４は、排気路１４の側壁に一定間隔で設けられた側面通気口１４１を介して該排気路１４と連通している。したがって、上記空気流路４を土台部から上に移動した空気は、図１に記載した上向き矢印及び左向き矢印を介して排気路１４に円滑に流れ、排気路１４の下面に設けられた下部排気口１４２から外部に排出される。一方、上面カバー部１２の端部から躯体取付け片１２２が上方に延びるとともに、幕板１の長さ方向に沿って設けられている。
【００１５】
取付け金具２は、その上端部に上記上面カバー部１２の端部に延設された下向き係合片１２１と係合する上部係止部２１を備えるとともに、その下端部に上記下面カバー部１３の端部に延設された上向き係合部１３１と係合する下部係止部２２とを備え、固定用ビスＢで躯体Ｋにしっかりと固定される。このように構成することにより、弾性変形する幕板１を作業性よく取付け金具２に取付けることができ、また、簡単に取り外すことも可能となる。
【００１６】
図３は、１階、２階の躯体全面に外壁パネルを取付けた建物に、本発明にかかる外壁通気構造を適用した第２実施形態を示す側断面図である。図４は、図３に示された幕板１を表す一部切欠き斜視図である。図３、図４からよくわかるように、第２実施形態においては、第１実施形態における幕板１の上面カバー部１２の端部に排気部５が突設され、この排気部５は、長さ方向に一定間隔で排出口５１が横設されているとともに、２階に取付けられた外壁パネル３１の下端部に当接している。このように構成することによって、躯体Ｋと外壁パネル３１の間に形成された空気流路４１を軒天部から下方に移動した空気は、図３に記載した下向き矢印で示すように滞留することなく流れ、上記排出口５１から排出される。
【００１７】
上記のように構成されているため、第２実施形態においては、土台部からの空気は上方に移動して幕板１に内設された既述の排気路１４を経て外部に排出されるとともに、軒天部から下方に下方に移動した空気は、上記排出口５１から排出されるため、外壁パネル３、３１の裏面側全体の通気性が向上し、乾燥した状態を保つことが可能となり、カビの発生や腐食を抑え、衛生上、また、建物の保全上も好ましい環境とすることができる。
【００１８】
上記した側面通気口１４１および排出口５１は独立孔で示されているが、切欠き孔であってもよい。また、独立孔、切欠き孔に限られず、スリットとしてもよい。また、幕板１は弾性を有する合成樹脂には限られず、弾性を有する塗装鋼板から形成されたものであってもよい。このように、本発明は種々設計変更自在であり、特許請求の範囲を逸脱しない限り、本発明の技術的範囲に含まれる。
【図面の簡単な説明】
【００１９】
【図１】本発明の第１実施形態にかかる外壁通気構造を示す側断面図である。
【図２】図１に示された幕板を表す一部切欠き斜視図である。
【図３】本発明の第２実施形態にかかる外壁通気構造を示す側断面図である。
【図４】図３に示された幕板を表す一部切欠き斜視図である。
【符号の説明】
【００２０】
１          幕板
１１        前面化粧部
１２        上面カバー部
１２１      下向き係合片
１２２      躯体当接片
１３        下面カバー部
１３１      上向き係合部
１４        排気路
１４１      側面通気口
１４２      下部排気口
２          取付け金具
２１        上部係止部
２２        下部係止部
３          １階外壁パネル
３１        ２階外壁パネル
４          １階外壁パネルの裏面に形成された空気流路
４１        ２階外壁パネルの裏面に形成された空気流路
５          第２実施形態における排気部
５１        排出口
Ｂ          固定用ビス
Ｋ          躯体
【図１】
2005226369.tif 000003
【図２】
2005226369.tif 000004
【図３】
2005226369.tif 000005
【図４】
2005226369.tif 000006